(57)【要約】【課題】インダクタンスおよび直流重畳特性が良好であるインダクタを提供すること。【解決手段】インダクタ１は、断面視略円形状の配線２と、配線２を被覆する磁性層３とを備え、配線２は、導体線４と、導体線４を被覆する絶縁層５とを備え、磁性層３は、異方性磁性粒子６と、バインダ７とを含有し、周辺領域１１において、異方性磁性粒子６が配線２の円周方向に沿って配向する内側円周方向配向領域１３と、異方性磁性粒子６が径方向に沿って配向する内側径方向配向領域１４とを有する。【選択図】図１
2019220618.tif 000002
【特許請求の範囲】
【請求項１】
断面視略円形状の配線と、前記配線を被覆する磁性層とを備え、
前記配線は、導体線と、前記導体線を被覆する絶縁層とを備え、
前記磁性層は、異方性磁性粒子と、バインダとを含有し、
前記配線の半径の１．５倍以内の周辺領域において、
前記異方性磁性粒子が前記配線の円周方向に沿って配向する第１領域と、
前記異方性磁性粒子が前記円周方向と交差する交差方向に沿って配向するか、または、前記異方性磁性粒子が配向していない第２領域と
を有することを特徴とする、インダクタ。
【請求項２】
前記第２領域を複数有することを特徴とする、請求項１に記載のインダクタ。
【請求項３】
前記第２領域は、前記異方性磁性粒子が前記配線の径方向に沿って配向する領域であることを特徴とする、請求項１または２に記載のインダクタ。
【請求項４】
前記第２領域において、前記異方性磁性粒子の充填率が、４０体積％以上であることを特徴とする、請求項３に記載のインダクタ。
【請求項５】
前記磁性層は、前記周辺領域の外側において、前記異方性磁性粒子が前記配線の径方向に沿って配向する第３領域を有することを特徴とする、請求項１〜４のいずれか一項に記載のインダクタ。
【発明の詳細な説明】
【技術分野】
【０００１】
本発明は、インダクタに関する。
【背景技術】
【０００２】
インダクタは、電子機器などに搭載されて、電圧変換部材などの受動素子として用いられることが知られている。
【０００３】
例えば、磁性体材料からなる直方体状のチップ本体部と、そのチップ本体部の内部に埋設された銅などの内部導体とを備え、チップ本体部の断面形状と内部導体の断面形状とが相似形であるインダクタが提案されている（特許文献１参照。）。すなわち、特許文献１のインダクタでは、断面視矩形状（直方体状）の配線（内部導体）の周囲に磁性体材料が被覆されている。
【先行技術文献】
【特許文献】
【０００４】
【特許文献１】特開平１０−１４４５２６号公報
【発明の概要】
【発明が解決しようとする課題】
【０００５】
ところで、磁性体材料として、扁平状磁性粒子などの異方性磁性粒子を用いて、配線の周囲に、その異方性磁性粒子を配向させて、インダクタのインダクタンスを向上させることが検討されている。
【０００６】
しかしながら、特許文献１のインダクタでは、配線が、断面視矩形状であるため、角部などの存在によって、その配線の周囲に異方性磁性粒子を配向させにくい不具合が生じる。そのため、インダクタンスの向上が不十分となる場合がある。
【０００７】
そこで、断面視円形状の配線を用いて、その配線の周囲に異方性磁性粒子を配向することがさらに検討されている。
【０００８】
しかしながら、この方法では、インダクタンスが向上するものの、直流重畳特性が不十分であり、さらなる改良が求められている。
【０００９】
本発明は、インダクタンスおよび直流重畳特性が良好であるインダクタを提供する。
【課題を解決するための手段】
【００１０】
本発明［１］は、断面視略円形状の配線と、前記配線を被覆する磁性層とを備え、前記配線は、導体線と、前記導体線を被覆する絶縁層とを備え、前記磁性層は、異方性磁性粒子と、バインダとを含有し、前記配線の半径の１．５倍以内の周辺領域において、前記異方性磁性粒子が前記配線の円周方向に沿って配向する第１領域と、前記異方性磁性粒子が前記円周方向と交差する交差方向に沿って配向するか、または、前記異方性磁性粒子が配向していない第２領域とを有する、インダクタを含む。
【００１１】
本発明［２］は、前記第２領域を複数有する、［１］に記載のインダクタを含む。
【００１２】
本発明［３］は、前記第２領域は、前記異方性磁性粒子が前記配線の径方向に沿って配向する領域である、［１］または［２］に記載のインダクタを含む。
【００１３】
本発明［４］は、前記第２領域において、前記異方性磁性粒子の充填率が、４０体積％以上である、［３］に記載のインダクタを含む。
【００１４】
本発明［５］は、前記磁性層は、前記周辺領域の外側において、前記異方性磁性粒子が前記配線の径方向に沿って配向する第３領域を有する、［１］〜［４］のいずれか一項に記載のインダクタを含む。
【発明の効果】
【００１５】
本発明のインダクタは、配線と、配線を被覆する磁性層とを備え、配線の周辺領域において、異方性磁性粒子が配線の円周方向に沿って配向する第１領域を有するため、インダクタンスが良好である。また、第１領域以外の第２領域において、異方性磁性粒子が交差方向に沿って配向するか、または、前記異方性磁性粒子が配向していないため、直流重畳特性が良好である。
【図面の簡単な説明】
【００１６】
【図１】図１は、本発明のインダクタの第１実施形態の斜視図を示す。
【図２】図２は、図１の軸方向と直交する方向における断面図を示す。
【図３】図３Ａ−Ｂは、図1に示すインダクタの製造工程であって、図３Ａは、磁性シートおよび配線を対向配置する工程、図３Ｂは、磁性シートを配線に積層する工程を示す。
【図４】図４は、図１に示すインダクタの実際のＳＥＭ写真断面図を示す。
【図５】図５は、図１に示すインダクタの変形例（内側径方向配向領域の一部に、粒子が充填されていない形態）の断面図を示す。
【図６】図６は、図１に示すインダクタの変形例（４つの内側径方向配向領域を有する形態）の断面図を示す。
【図７】図７は、図１に示すインダクタの変形例（１つの内側径方向配向領域を有する形態）の断面図を示す。
【図８】図７は、図１に示すインダクタの変形例（２つの内側径方向配向領域の間に中心が位置しない形態）の断面図を示す。
【図９】図９は、本発明のインダクタの第２実施形態の斜視図を示す。
【図１０】図１０は、本発明のインダクタの第３実施形態の斜視図を示す。
【図１１】図１１は、実施例１〜５のシミュレーションに用いたインダクタのモデル図を示す。
【図１２】図１２は、実施例６〜８のシミュレーションに用いたインダクタのモデル図を示す。
【図１３】図１３は、実施例９〜１１のシミュレーションに用いたインダクタのモデル図を示す。
【発明を実施するための形態】
【００１７】
図２において、紙面左右方向は、第１方向であって、紙面左側が第１方向一方側、紙面右側が第１方向他方側である。紙面上下方向は、第２方向（第１方向と直交する方向）であって、紙面上側が第２方向一方側、紙面下側が第２方向他方側である。紙面紙厚方向は、第３方向（第１方向および第２方向と直交する方向、軸方向）であって、紙面手前側が第３方向一方側、紙面奥側が第３方向他方側である。具体的には、各図の方向矢印に準拠する。
【００１８】
＜第１実施形態＞
本発明のインダクタの第１実施形態の一実施形態を、図１〜図２を参照して説明する。
【００１９】
図１に示すように、インダクタ１は、軸方向に長く延び、例えば、平面視略ループ形状を有する。インダクタ１は、配線２と、磁性層３とを備える。
【００２０】
図１および図２に示すように、配線２は、軸方向に長尺に延び、断面視略円形状を有する。配線２は、絶縁層が被覆された電線であり、具体的には、導体線４と、それを被覆する絶縁層５とを備える。
【００２１】
図２に示すように、導体線４は、断面視略円形状を有する。
【００２２】
導体線４の材料は、例えば、銅、銀、金、アルミニウム、ニッケル、これらの合金などの金属導体であり、好ましくは、銅が挙げられる。導体線４は、単層構造であってもよく、コア導体（例えば、銅）の表面にめっき（例えば、ニッケル）などがされた複層構造であってもよい。
【００２３】
導体線４の半径Ｒ１は、例えば、２５μｍ以上、好ましくは、５０μｍ以上であり、また、例えば、２０００μｍ以下、好ましくは、２００μｍ以下である。
【００２４】
絶縁層５は、導体線４を薬品や水から保護し、また、導体線４の短絡を防止するための層である。配線２の外周面全面を被覆するように、配置されている。
【００２５】
絶縁層５は、配線２と中心軸線を共有する断面視略円環形状を有する。
【００２６】
絶縁層５の材料としては、例えば、ポリビニルホルマール、ポリエステル、ポリエステルイミド、ポリアミド、ポリイミド、ポリアミドイミドなどの絶縁性樹脂が挙げられる。これらは、１種単独で用いてもよく、２種以上併用してもよい。
【００２７】
絶縁層５は、単層から構成されていてもよく、複数の層から構成されていてもよい。
【００２８】
絶縁層５の厚みＲ２は、円周方向のいずれの位置においても配線２の径方向（円周方向と交差する交差方向の一例）において略均一であり、例えば、１μｍ以上、好ましくは、３μｍ以上であり、また、例えば、１００μｍ以下、好ましくは、５０μｍ以下である。
【００２９】
絶縁層５の厚みＲ２に対する、導体線４の半径Ｒ１の比（Ｒ１／Ｒ２）は、例えば、１以上、好ましくは、１０以上であり、例えば、２００以下、好ましくは、１００以下である。
【００３０】
配線２の半径（Ｒ１＋Ｒ２）は、例えば、例えば、２５μｍ以上、好ましくは、５０μｍ以上であり、また、例えば、２０００μｍ以下、好ましくは、２００μｍ以下である。
【００３１】
磁性層３は、インダクタンスを向上させるための層である。
【００３２】
磁性層３は、配線２の外周面全面を被覆するように、配置されている。
【００３３】
磁性層３は、異方性磁性粒子６とバインダ７とを含有する磁性組成物から形成されている。
【００３４】
異方性磁性粒子６を構成する材料としては、軟磁性体、硬磁性体が挙げられる。好ましくは、インダクタンスの観点から、軟磁性体が挙げられる。
【００３５】
軟磁性体としては、例えば、磁性ステンレス（Ｆｅ−Ｃｒ−Ａｌ−Ｓｉ合金）、センダスト（Ｆｅ−Ｓｉ−Ａｌ合金）、パーマロイ（Ｆｅ−Ｎｉ合金）、ケイ素銅（Ｆｅ−Ｃｕ−Ｓｉ合金）、Ｆｅ−Ｓｉ合金、Ｆｅ−Ｓｉ―Ｂ（−Ｃｕ−Ｎｂ）合金、Ｆｅ−Ｓｉ−Ｃｒ−Ｎｉ合金、Ｆｅ−Ｓｉ−Ｃｒ合金、Ｆｅ−Ｓｉ−Ａｌ−Ｎｉ−Ｃｒ合金、フェライトなどが挙げられる。これらの中でも、磁気特性の点から、好ましくは、センダスト（Ｆｅ−Ｓｉ−Ａｌ合金）が挙げられる。
【００３６】
異方性磁性粒子６の形状としては、異方性の観点から、例えば、扁平状(板状）、針状などが挙げられ、好ましくは、面方向（二次元）に比透磁率が良好である観点から、扁平状が挙げられる。
【００３７】
バインダ７としては、バインダ樹脂が挙げられる。バインダ樹脂としては、例えば、熱硬化性樹脂、熱可塑性樹脂が挙げられる。
【００３８】
熱硬化性樹脂としては、例えば、エポキシ樹脂、フェノール樹脂、メラミン樹脂、熱硬化性ポリイミド樹脂、不飽和ポリエステル樹脂、ポリウレタン樹脂、シリコーン樹脂などが挙げられる。接着性、耐熱性などの観点から、好ましくは、エポキシ樹脂、フェノール樹脂が挙げられる。
【００３９】
熱可塑性樹脂としては、例えば、アクリル樹脂、エチレン−酢酸ビニル共重合体、ポリカーボネート樹脂、ポリアミド樹脂（６−ナイロン、６，６−ナイロンなど）、熱可塑性ポリイミド樹脂、飽和ポリエステル樹脂（ＰＥＴ、ＰＢＴなど）などが挙げられる。好ましくは、アクリル樹脂が挙げられる。
【００４０】
樹脂としては、好ましくは、熱硬化性樹脂および熱可塑性樹脂の併用が挙げられる。より好ましくは、アクリル樹脂、エポキシ樹脂およびフェノール樹脂の併用が挙げられる。これにより、異方性磁性粒子６を所定の配向状態で、かつ、高充填で、配線２の周囲により確実に固定できる。
【００４１】
また、磁性組成物は、必要に応じて、熱硬化触媒、無機粒子、有機粒子、架橋剤などの添加剤を含有することもできる。
【００４２】
磁性層３では、バインダ７内に異方性磁性粒子６が配向しながら均一に配置されている。
【００４３】
磁性層３は、断面視において、一の主部８と、複数（２つ）の側部９とを一体的に備える。
【００４４】
主部８は、配線２と中心軸線を共有する断面視略円環状を有する。主部８は、内側に区画される周辺領域１１と、その外側に区画される外周領域１２とを一体的に有する。
【００４５】
周辺領域１１は、断面視略円環状を有する。周辺領域１１は、主部８のうち、配線２の中心点Ｃから配線２の半径Ｒ１の１．５倍以内の範囲に位置する領域である。すなわち、周辺領域１１は、周辺領域１１の内周縁から、径方向外側に半径Ｒ１の０．５倍の距離の範囲に位置する領域である。
【００４６】
周辺領域１１は、複数（２つ）の内側円周方向配向領域１３（第１領域の一例）と、複数（２つ）の内側径方向配向領域１４（第２領域の一例）とを連続して有する。
【００４７】
内側円周方向配向領域１３は、断面視において、異方性磁性粒子６が円周方向に沿って配向している。すなわち、異方性磁性粒子６の比透磁率が高い方向（例えば、扁平状異方性磁性粒子では、粒子の面方向）が、配線２の中心点Ｃを中心とした円の接線と略一致する。より具体的には、粒子６の面方向と、その粒子６が位置する円の接線とがなす角度が、１５度以下である場合を、粒子６が円周方向に配向していると定義する。
【００４８】
内側円周方向配向領域１３では、その領域１３に含まれる異方性磁性粒子６全体の数に対して、円周方向に配向している異方性磁性粒子６の数の割合が、５０％を超過し、好ましくは、７０％以上である。すなわち、内側円周方向配向領域１３では、配向していない異方性磁性粒子６を５０％未満、好ましくは、３０％以下含んでいてもよい。
【００４９】
複数の内側円周方向配向領域１３は、配線２を挟んで、第２方向に互いに間隔を隔てて対向配置されている。
【００５０】
複数の内側円周方向配向領域１３の面積の割合は、周辺領域１１全体に対して、５０％以上、好ましくは、６０％以上であり、また、例えば、９０％以下、好ましくは、８０％以下である。
【００５１】
内側円周方向配向領域１３において、異方性磁性粒子６の充填率は、例えば、４０体積％以上、好ましくは、４５体積％以上であり、また、例えば、９０体積％以下、好ましくは、７０体積％以下である。充填率が上記下限以上であれば、インダクタンスに優れる。
【００５２】
充填率は、実比重の測定、ＳＥＭ写真断面図の二値化などによって算出することができる。
【００５３】
内側円周方向配向領域１３において、円周方向の比透磁率は、例えば、５以上、好ましくは、１０以上、より好ましくは、３０以上であり、また、例えば、５００以下である。径方向の比透磁率は、例えば、１以上、好ましくは、５以上であり、また、例えば、１００以下、好ましくは、５０以下、より好ましくは、２５以下である。また、径方向に対する円周方向の比透磁率の比（円周方向／径方向）は、例えば、２以上、好ましくは、５以上であり、また、例えば、５０以下である。比透磁率が上記範囲であれば、インダクタンスに優れる。
【００５４】
比透磁率は、例えば、磁性材料テストフィクスチャを使用したインピーダンスアナライザ（Ａｇｉｌｅｎｔ社製、「４２９１Ｂ」）によって測定することができる。
【００５５】
内側径方向配向領域１４は、断面視において、異方性磁性粒子６が径方向（図２では、第１方向）に沿って配向している。すなわち、異方性磁性粒子６の比透磁率が高い方向（例えば、扁平状異方性磁性粒子では、粒子の面方向）が、径方向と略一致する。より具体的には、粒子６の面方向と、その粒子６が位置する径方向とがなす角度が、１５度以下である場合を、粒子６が径方向に配向していると定義する。
【００５６】
内側径方向配向領域１４では、その領域１４に含まれる異方性磁性粒子６全体の数に対して、径方向に配向している異方性磁性粒子６の数の割合が、５０％を超過し、好ましくは、７０％以上である。すなわち、内側径方向配向領域１４では、配向していない異方性磁性粒子６を５０％未満、好ましくは、３０％以下含んでいてもよい。
【００５７】
複数の内側径方向配向領域１４は、配線２の第１方向一方側と、配線２の第１方向他方側に、配線を挟んで互いに対向配置されている。具体的には、一方側の内側径方向配向領域１４と他方側の内側径方向配向領域１４との間に、配線２の中心点Ｃが位置する。
【００５８】
また、複数の内側円周方向配向領域１３と複数の内側径方向配向領域１４とは、円周方向において交互に配置しており、具体的には、径方向に対向する２つの内側径方向配向領域１４が、円弧形状を有する２つの内側円周方向配向領域１３に挟まれている。
【００５９】
複数の内側径方向配向領域１４の面積の割合は、周辺領域１１全体に対して、１０％以上、好ましくは、２０％以上であり、また、例えば、５０％以下、好ましくは、４０％以下である。
【００６０】
内側径方向配向領域１４において、異方性磁性粒子６の充填率は、例えば、４０体積％以上、好ましくは、５０体積％以上であり、また、例えば、９０体積％以下、好ましくは、７０体積％以下である。充填率が上記範囲であれば、インダクタンスに優れる。
【００６１】
内側径方向配向領域１４において、径方向の比透磁率は、例えば、５以上、好ましくは、１０以上、より好ましくは、３０以上であり、また、例えば、５００以下である。円周方向（図２では、第２方向）の比透磁率は、例えば、１以上、好ましくは、５以上であり、また、例えば、１００以下、好ましくは、５０以下、より好ましくは、２５以下である。また、円周方向に対する径方向の比透磁率の比（径方向／円周方向）は、例えば、２以上、好ましくは、５以上であり、また、例えば、５０以下である。比透磁率が上記範囲であれば、インダクタンスに優れる。
【００６２】
また、周辺領域１１において、その内側の領域（最内側領域）における異方性磁性粒子６の充填率は、例えば、４０体積％以上、好ましくは、５０体積％以上であり、また、例えば、９０体積％以下、好ましくは、７０体積％以下である。充填率が上記範囲であれば、インダクタンスに優れる。
【００６３】
最内側領域は、主部８のうち、配線２の中心点Ｃから配線２の半径Ｒ１の１．２５倍以内の範囲に位置する領域とする。
【００６４】
外周領域１２は、断面視略円環状を有する。外周領域１２は、主部８のうち、周辺領域１１の外側に位置する領域である。外周領域１２の内周縁は、周辺領域１１の外周縁と一体的に連続する。
【００６５】
外周領域１２は、複数（２つ）の外側円周方向配向領域１５と、複数（２つ）の外側径方向配向領域１６とを有する。
【００６６】
複数の外側円周方向配向領域１５は、複数の内側円周方向配向領域１３に対応して、複数の内側円周方向配向領域１３の径方向外側に位置する。複数の外側円周方向配向領域１５は、内側円周方向配向領域１３と同様の構成を有しており、異方性磁性粒子６が、円周方向に配向されている。
【００６７】
複数の外側径方向配向領域１６は、複数の内側径方向配向領域１４に対応して、複数の内側径方向配向領域１４の径方向外側に位置する。複数の外側径方向配向領域１６は、内側径方向配向領域１４と同様の構成を有しており、異方性磁性粒子６が、径方向に配向されている。
【００６８】
主部８の厚みＲ３は、配線２の半径Ｒ１の０．３倍以上、好ましくは、０．５倍以上であり、また、例えば、５．０倍以下、好ましくは、３．０倍以下である。具体的には、例えば、５０μｍ以上、好ましくは、８０μｍ以上であり、また、例えば、５００μｍ以下、好ましくは、２００μｍ以下である。  
【００６９】
複数の側部９は、主部８の両外側において、第１方向（径方向）に延びるように配置されている。複数の側部９は、主部８の第１方向一方側と、主部８の第１方向他方側に、主部８を挟むように互いに間隔を隔てて対向配置されている。
【００７０】
複数の側部９の第２方向一方面および第２方向他方面は、平坦となるように形成されている。
【００７１】
複数の側部９は、それぞれ、側部配向領域１７（第３領域の一例）を有する。
【００７２】
側部配向領域１７は、側部９の第２方向中間に配置されている。また、側部配向領域１７は、径方向配向領域（内側径方向配向領域１４および外側径方向配向領域１６）の径方向外側に配置されている。
【００７３】
側部配向領域１７は、異方性磁性粒子６が径方向（図２では、第１方向）に沿って配向している。すなわち、異方性磁性粒子６の比透磁率が高い方向（例えば、扁平状異方性磁性粒子では、粒子の面方向）が、径方向と略一致する。より具体的には、粒子６の面方向と、径方向とがなす角度が、１５度以下である。
【００７４】
側部配向領域１７では、その領域１７に含まれる異方性磁性粒子６全体の数に対して、径方向に配向している異方性磁性粒子６の数の割合が、５０％を超過し、好ましくは、６０％以上である。
【００７５】
側部９における側部配向領域１７以外の領域では、異方性磁性粒子６は、側部配向領域１７の配向方向（第１方向、径方向と平行する方向）に沿って配向している。
【００７６】
すなわち、側部９の全領域は、異方性磁性粒子６が第１方向に沿って配向している。
【００７７】
側部９において、異方性磁性粒子６の充填率は、例えば、４０体積％以上、好ましくは、５０体積％以上であり、また、例えば、９０体積％以下、好ましくは、７０体積％以下である。充填率が上記下限以上であれば、インダクタンスに優れる。
【００７８】
側部９において、径方向の比透磁率は、例えば、５以上、好ましくは、１０以上、より好ましくは、３０以上であり、また、例えば、５００以下である。円周方向（図２では、第２方向）の比透磁率は、例えば、１以上、好ましくは、５以上であり、また、例えば、１００以下、好ましくは、５０以下、より好ましくは、２５以下である。また、円周方向に対する径方向の比透磁率の比（径方向／円周方向）は、例えば、２以上、好ましくは、５以上であり、また、例えば、５０以下である。比透磁率が上記範囲であれば、インダクタンスに優れる。
【００７９】
側部９の第１方向長さＷ（主部８の第１方向最外側から、側部９の外側端縁までの第１方向距離）は、例えば、１０μｍ以上、好ましくは、８０μｍ以上であり、また、例えば、１０００μｍ以下、好ましくは、５００μｍ以下である。
【００８０】
側部９の第２方向長さ（厚さ）Ｔ２は、例えば、１００μｍ以上、好ましくは、２００μｍ以上であり、また、例えば、２０００μｍ以下、好ましくは、１０００μｍ以下である。
【００８１】
次いで、図３Ａ−Ｂを参照して、インダクタ１の製造方法の一実施形態について説明する。インダクタ１の製造方法は、例えば、配線２、および、２つの異方性磁性シート２０を用意する用意工程、配線２を埋設するように、２つの異方性磁性シート２０を、積層する積層工程を備える。
【００８２】
用意工程では、配線２は、例えば、エナメル線として公知または市販のものを用いることができる。
【００８３】
異方性磁性シート２０は、面方向に延びるシート状を有し、磁性組成物から形成されている。異方性磁性シート２０では、異方性磁性粒子６が、面方向に配向されている。好ましくは、異方性磁性シート２０は、半硬化状態（Ｂステージ）である。
【００８４】
このような異方性磁性シート２０としては、特開２０１４−１６５３６３号、特開２０１５−９２５４４号などに記載の軟磁性熱硬化性接着フィルムや軟磁性フィルムなどが挙げられる。
【００８５】
積層工程では、まず、図３Ａに示すように、２つの異方性磁性シート２０の間に配線２を配置し、具体的には、２つの異方性磁性シート２０が配線２の第２方向一方側および第２方向他方側に位置するように、２つの異方性磁性シート２０および配線２を対向配置する。
【００８６】
続いて、図３Ｂに示すように、配線２を埋設するように、２つの異方性磁性シート２０を互いに近接させて積層する。具体的には、第２方向一方側の異方性磁性シート２０を第２方向他方側に向かって押圧し、第２方向他方側の異方性磁性シート２０を第２方向一方側に向かって、押圧する。
【００８７】
この際、異方性磁性シート２０が半硬化状態である場合は、加熱する。これにより、異方性磁性シート２０が硬化状態（Ｃステージ）となる。また、２つの異方性磁性シート２０の界面が消滅し、２つの異方性磁性シート２０は、一の磁性層３を形成する。
【００８８】
これにより、図２に示すように、断面視略円形状の配線２と、それを被覆する磁性層３とを備えるインダクタ１が得られる。すなわち、インダクタ１は、複数（２つ）の異方性磁性シート２０を、配線２を挟むように、積層してなるものである。なお、実際のインダクタの断面図（ＳＥＭ写真）を図４に示す。
【００８９】
このインダクタ１は、磁性層３の主部８において、円周方向配向領域（内側円周方向配向領域１３および外側円周方向配向領域１５）および径方向配向領域（内側径方向配向領域１４および径方向配向領域１６）を有し、磁性層３の側部９において、径方向配向領域を有する。また、主部８において、円周方向配向領域と径方向配向領域との境界周辺では、異方性磁性粒子６は、円周方向から径方向に（または円周方向から径方向に）、緩やかに配向角度が傾斜している。
【００９０】
インダクタ１は、電子機器の一部品、すなわち、電子機器を作製するための部品であり、電子素子（チップ、キャパシタなど）や、電子素子を実装する実装基板を含まず、部品単独で流通し、産業上利用可能なデバイスである。
【００９１】
インダクタ１は、例えば、電子機器などに搭載される（組み込まれる）。図示しないが、電子機器は、実装基板と、実装基板に実装される電子素子（チップ、キャパシタなど）とを備える。そして、インダクタ１は、はんだなどの接続部材を介して実装基板に実装され、他の電子機器と電気的に接続され、コイルなどの受動素子として作用する。
【００９２】
そして、インダクタ１は、断面視略形状の配線２と、配線２を被覆する磁性層３とを備え、磁性層３は、異方性磁性粒子６およびバインダ７を含有する。また、磁性層３の周辺領域１１において、異方性磁性粒子６が配線２の円周方向に沿って配向する内側円周方向配向領域１３を有する。そのため、インダクタンスが向上している。
【００９３】
また、周辺領域１１において、異方性磁性粒子６が径方向に沿って配向する内側径方向配向領域１４を有する。そのため、直流重畳特性が向上している。
【００９４】
（変形例）
図５〜図８を参照して、図１〜図２に示す一実施形態の変形例について説明する。なお、変形例において、上記した一実施形態と同様の部材には、同様の符号を付し、その説明を省略する。これら変形例についても、上記した一実施形態などと同様の作用効果を奏する。
【００９５】
図２に示す実施形態では、磁性層３では、異方性磁性粒子６が均一に配置されているが、例えば、図５に示すように、内側径方向配向領域１４において、異方性磁性粒子６が一部充填されていなくてもよい。
【００９６】
すなわち、内側径方向配向領域１４は、その中に、異方性磁性粒子６が充填されていない非充填領域１８を有していてもよい。
【００９７】
非充填領域１８の径方向長さＲ４は、内側径方向配向領域１４の径方向長さに対して、例えば、９０％以下、好ましくは、５０％以下である。具体的には、例えば、８０μｍ以下、好ましくは、５０μｍ以下であり、また、例えば、０μｍを超過する。
【００９８】
この場合、内側径方向配向領域１４の充填率は、例えば、５体積％以上、好ましくは、１０体積％以上であり、また、例えば、７０体積％以下、好ましくは、６０体積％以下である。
【００９９】
好ましくは、インダクタンスの観点から、図２に示す形態が挙げられる。
【０１００】
図５に示す実施形態は、例えば、積層工程で、異方性磁性シート２０の加圧条件（温度、圧力など）を適宜変更することにより製造することができる。
【０１０１】
図２に示す実施形態では、インダクタ１は、２つの内側径方向配向領域１４および２つの側部９を備えているが、これらの数は限定されず、例えば、図６に示すように、インダクタ１は、４つの内側径方向配向領域１４および４つの側部９を備えていてもよい。また、例えば、図７に示すように、インダクタ１は、１つの内側径方向配向領域１４および１つの側部９を備えていてもよい。
【０１０２】
図６に示すインダクタ１は、例えば、４つの異方性磁性シート２０を配線２に四方向から配置することにより製造することができる。また、図７に示すインダクタ１は、１つの異方性磁性シート２０を配線２に巻きつけるように配置することにより製造することができる。
【０１０３】
図２に示す実施形態では、一方側の内側径方向配向領域１４と他方側の内側径方向配向領域１４との間に、配線２の中心点Ｃが位置するが、例えば、図８に示すように、一方側の内側径方向配向領域１４と他方側の内側径方向配向領域１４との間に、配線２の中心点Ｃが位置しなくてもよい。
【０１０４】
図１に示すインダクタ１は平面視略ループ形状を有するが、その形状は限定されず、目的および用途によって軸方向の延び方が決定される。
【０１０５】
＜第２実施形態＞
図９を参照して、本発明のインダクタの第２実施形態について説明する。なお、変形例において、上記した第１実施形と同様の部材には、同様の符号を付し、その説明を省略する。
【０１０６】
第２実施形態のインダクタ１では、周辺領域１１は、複数の内側円周方向配向領域１３（第１領域の一例）と、複数の内側非配向領域２１（第２領域の一例）とを一体的に有する。
【０１０７】
内側非配向領域２１は、断面視において、異方性磁性粒子６が配向していない。すなわち、異方性磁性粒子６の比透磁率が高い方向（例えば、扁平状異方性磁性粒子では、粒子の面方向）が、不規則となるように、複数の異方性磁性粒子６が配置されている。
【０１０８】
複数の内側非配向領域２１は、配線２の第１方向一方側と、配線２の第１方向他方側に、配線２を挟むように、互いに間隔を隔てて対向配置されている。具体的には、一方側の内側非配向領域２１と他方側の内側非配向領域２１との間に、配線２の中心点Ｃが位置する。
【０１０９】
複数の内側非配向領域２１の面積の割合は、周辺領域１１全体に対して、１０％以上、好ましくは、２０％以上であり、また、例えば、５０％以下、好ましくは、４０％以下である。
【０１１０】
内側径方向配向領域１４において、異方性磁性粒子６の充填率は、例えば、４０体積％以上、好ましくは、５０体積％以上であり、また、例えば、９０体積％以下、好ましくは、７０体積％以下である。充填率が上記範囲であれば、インダクタンスに優れる。
【０１１１】
第２実施形態のインダクタ１も、第１実施形態などと同様の作用効果を奏する。
【０１１２】
高インダクタンス化の観点から、好ましくは、第１実施形態が挙げられる。
【０１１３】
第１実施形態の変形例も、第２実施形態に同様に適用することができる。
【０１１４】
（第３実施形態）
図１０を参照して、本発明のインダクタの第３実施形態について説明する。なお、変形例において、上記した第１実施形と同様の部材には、同様の符号を付し、その説明を省略する。
【０１１５】
第３実施形態のインダクタ１は、複数の側部９を備えない。すなわち、磁性層３は、主部８のみからなる。
【０１１６】
第３実施形態のインダクタ１も、第１実施形態などと同様の作用効果を奏する。
【０１１７】
インダクタンスをさらに向上させることができる観点から、好ましくは、第１実施形態が挙げられる。
【０１１８】
第３実施形態の変形例も、第１実施形態に同様に適用することができる。また、第２実施形態と同様に、第３実施形態において、内側径方向配向領域１４を内側非配向領域２１とすることもできる。
【０１１９】
＜シミュレーション結果＞
実施例１
図１１に示すモデルにおいて、下記に示す条件にて、インダクタのインダクタンスおよび直流重畳特性をシミュレーションによって算出した。
【０１２０】
ソフト：ＡＮＳＹＳ社製の「Ｍａｘｗｅｌｌ  ３Ｄ」、導体線４の軸方向長さ：１０ｍｍ、導体線４の半径Ｒ１：１１０μｍ、絶縁層５の厚みＲ２：５μｍ、磁性層３の主部８の厚みＲ３：１００μｍ、内側径方向配向領域１４の第２方向長さ（厚み）Ｔ１：５０μｍ、各領域において扁平状異方性磁性粒子６の面方向に沿う方向の比透磁率μ：１４０、各領域において扁平状異方性磁性粒子６の厚み方向に沿う方向の比透磁率μ：１０、周波数：１０ＭＨｚ
直流重畳特性は、外部の磁界強度Ｈに対する磁気特性Ｂの変化を設定した。また、面方向に対しては非線形（外部の磁界強度Ｈが強くなると徐々にＢが飽和するモード）で設定し、厚み方向に対しては、線形（外部の磁界強度Ｈに対してＢが常に一定で飽和しないモード）で設定した。
【０１２１】
配線に直流電流を印加した状態で、直流磁界に対するインダクタンス値を算出した。
【０１２２】
電流値を０．１Ａ〜１００Ａまで掃引した。この際、直流電流が０．１Ａである際のインダクタンス値を基準（１００％）とし、７０％に低下した際の直流電流の値を、直流重畳電流値として、算出した。結果を表１に示す。
【０１２３】
実施例２〜５
内側径方向配向領域１４の厚みＴ１を表１に記載の厚みに変更した以外は、実施例１と同様にして、インダクタンス値および直流重畳電流値を算出した。結果を表１に示す。
【０１２４】
比較例１
内側径方向配向領域１４の厚みＴ１を０μｍに変更した以外は、実施例１と同様にして、インダクタンス値および直流重畳電流値を算出した。結果を表１に示す。
【０１２５】
実施例６
図１２に示す直線状のインダクタのインダクタンスおよび直流重畳特性をシミュレーションによって算出した。
【０１２６】
具体的には、側部９の長さＷを５０μｍ、および、その第２方向長さ（厚み）Ｔ２を３００μｍに設定した以外は実施例１と同様の設定でシミュレーションを実施した。結果を表２に示す。
【０１２７】
実施例７〜８  
側部９の長さＷを表２に記載の長さに変更した以外は、実施例６と同様にして、インダクタンス値および直流重畳電流値を算出した。結果を表２に示す。
【０１２８】
比較例２〜４
内側径方向配向領域１４の厚みＴ１を０μｍに変更し、側部９の長さＷを表２に記載の長さに変更した以外は、実施例６と同様にして、インダクタンス値および直流重畳電流値を算出した。結果を表２に示す。
【０１２９】
実施例９
図１３に示す直線状のインダクタのインダクタンスおよび直流重畳特性をシミュレーションによって算出した。
【０１３０】
具体的には、実施例１において、内側径方向配向領域１４の内側縁から２２．５μｍ以までの領域を非充填領域１８（異方性磁性粒子６が含有していない比透磁率μが１である等方性領域）として設定した以外は、実施例１と同様にして、インダクタンス値および直流重畳電流値を算出した。結果を表３に示す。
【０１３１】
実施例１０〜１１
非充填領域１８の距離Ｒ４を表３に記載の距離に変更した以外は、実施例９と同様にして、インダクタンス値および直流重畳電流値を算出した。結果を表３に示す。
【０１３２】
比較例５
粒子未充填領域の距離Ｒ４を１００μｍに変更した、すなわち、内側径方向配向領域１４に異方性磁性粒子６が完全に含有していない条件に変更した以外は、実施例９と同様にして、インダクタンス値および直流重畳電流値を算出した。結果を表３に示す。
【０１３３】
【表１】
2019220618.tif 000003
【０１３４】
【表２】
2019220618.tif 000004
【０１３５】
【表３】
2019220618.tif 000005
【符号の説明】
【０１３６】
１  インダクタ
２  配線
３  磁性層
４  導体線
５  絶縁層
６  異方性磁性粒子
１１  周辺領域
１３  内側円周方向配向領域
１４  内側径方向配向領域
１７  側部配向領域
２１  内側非配向領域
【図１】
2019220618.tif 000006
【図２】
2019220618.tif 000007
【図３】
2019220618.tif 000008
【図４】
2019220618.tif 000009
【図５】
2019220618.tif 000010
【図６】
2019220618.tif 000011
【図７】
2019220618.tif 000012
【図８】
2019220618.tif 000013
【図９】
2019220618.tif 000014
【図１０】
2019220618.tif 000015
【図１１】
2019220618.tif 000016
【図１２】
2019220618.tif 000017
【図１３】
2019220618.tif 000018